(57)【特許請求の範囲】
【請求項１】
２個のケース構成体により形成される内部空間に錠制御装置との電子認証用交信手段を含む電子回路を収容したキーケースと、
キーケースに着脱可能に装着されるケース装着体とを有し、
前記各ケース構成体には、ケース装着体の装着方向に並ぶ凹溝状の挿通路が形成されるとともに、
ケース装着体には、キーケースへの装着方向に沿って連続して側方に片持梁状に張り出して形成され、キーケースへの装着時に挿通路を通過し、キーケースへの装着状態において、各挿通路の壁面をケース構成体同士が接近する方向に押し出してケース構成体間を連結する突条が設けられる電子キー装置。
【請求項２】
前記ケース装着体の取り外し時にキーケースの連結状態を維持する補助連結部を有する請求項１記載の電子キー装置。
【請求項３】
前記ケース構成体の連結境界面にはシール部材が介装され、
前記ケース装着体の装着により、所定のシール面圧が保持される請求項１または２記載の電子キー装置。
【請求項４】
前記キーケースには、装着されるケース装着体に弾発係止してケース装着体のキーケースからの抜去を規制するとともに、キーケース外からの係止解除操作が可能な係止部が設けられる請求項１、２または３記載の電子キー装置。
【請求項５】
前記キーケースに抜去可能に収納されるメカニカルキーがケース装着体として使用される請求項１から４のいずれかに記載の電子キー装置。
【発明の詳細な説明】
【技術分野】
【０００１】
本発明は電子キー装置に関するものである。
【背景技術】
【０００２】
電子的認証用ＩＤの送信手段を含むケース内にメカニカルキーを収納可能な電子キー装置としては、特許文献１に記載のものが知られている。この従来例において、ケースは第１ケース部と第２ケース部とを積層して連結される。第１ケース部と第２ケース部との連結境界にはメカニカルキーの挿入部が形成されており、各ケース部の外側壁には挿入部開口端に被挟持部が突設される。
【０００３】
一方、メカニカルキーには凹状の挟着部が形成され、メカニカルキーをケースに装着した状態で第１、第２ケース部の被挟持部は挟着部で挟まれて連結状態が維持される。
【特許文献１】特開２００５-２９０９０５号公報
【発明の開示】
【発明が解決しようとする課題】
【０００４】
しかし、上述した従来例において、ケース外側壁に被挟持部を突設させる必要があるために、デザインの自由度が低いという欠点がある。
【０００５】
本発明は、以上の欠点を解消すべくなされたものであって、メカニカルキー等の連結体の挿入により完成される連結部の配置の自由度を高めることによりデザイン自由度が高い解錠キーの提供を目的とする。
【課題を解決するための手段】
【０００６】
本発明によれば上記目的は、
２個のケース構成体に１、２より形成される内部空間に錠制御装置との電子認証用交信手段を含む電子回路を収容したキーケース３と、
キーケース３に着脱可能に装着されるケース装着体４とを有し、
前記各ケース構成体１、２には、ケース装着体４の装着方向に並ぶ凹溝状の挿通路５、６が形成されるとともに、
ケース装着体４には、キーケース３への装着方向に沿って連続して側方に片持梁状に張り出して形成され、キーケース３への装着時に挿通路５、６を通過し、キーケース３への装着状態において、各挿通路５、６の壁面をケース構成体１、２同士が接近する方向に押し出してケース構成体１、２間を連結する突条７が設けられる電子キー装置を提供することにより達成される。
【０００７】
電子キー装置のキーケース３は、電子回路を収容する内部空間を２個のケース構成体１、２により囲って形成され、ケース装着体４を装着することによりケース構成体１、２同士が連結される。ケース装着体４による連結は、ケース構成体１、２同士の唯一の連結手段であっても、あるいは、例えば、一端部がヒンジピン、あるいはフック等の係止手段で係止されたケース構成体１、２同士の他端部をケース装着体４の装着により連結させるように、他の補助的な連結部と協働して連結状態を完成させるものであってもよい。
【０００８】
ケース装着体４の装着による連結構造は、２個のケース構成体１、２の各々に形成される挿通路５、６と、ケース装着体４に形成される突条７とから構成される。ケース装着体４のキーケース３への装着操作に伴って突条７は各挿通路５、６を通過し、挿通路５、６に設定された干渉部５ａ、６ａに当接する。突条７はケース装着体４の装着方向への進行に伴って順次、挿通路５、６の干渉部５ａ、６ａに摺接して挿通スペースを広げる。干渉部５ａ、６ａは、突条７から押圧力を受けた際に２個のケース構成体１、２が接近する位置に形成されており、この結果、ケース装着体４の装着に伴って各ケース構成体１、２は突条７により分離方向の移動が規制されて連結状態が維持される。
【０００９】
干渉部５ａ、６ａはケース装着体４の装着完了時に所定の作用をする位置に離散的に形成することも、あるいは壁面として構成することもできる。
【００１０】
また、上述したように、補助的な連結部の助けなしにケース装着体４による連結構造のみにより２個のケース構成体１、２の連結を完結させる場合には、突条７のキーケース３への進入深さを深くし、干渉部５ａ、６ａ間のスパンを十分に長くすればよい。
【００１１】
したがってこの発明において、ケース装着体４を装着するだけでケース構成体１、２の連結完了、あるいは連結補強等を行うことができる。また、連結に際し、上述した従来例のように、ケース外表面への突出要素を必須としないために、デザインの自由度が高まる。
【００１２】
ケース装着体４は、上記キーケース３に着脱自在に連結される部品であり、キーリング挿通孔形成部材、ストラップ装着部材等、キーケース３に連結した状態でキーケース３に特別の機能を付与するアクセサリ部品であっても、あるいは、電子的認証手段に不具合があった場合に備えてキーケース３に収納状態で用意されるメカニカルキーであってもよい。メカニカルキーをケース装着体４として利用する場合、メカニカルキーの操作頭部（キーヘッド部１１）のみならず、キーブレード部１２を突条７として利用することができる。所定長を有するキーブレード部１２を突条７として利用すると、上述したように、干渉部５ａ、６ａ間のスパンを長く取ることができるために、独立した連結手段として構成する場合に有効となる。
【発明の効果】
【００１３】
本発明によれば、メカニカルキー等のケース装着体の挿入により完成される連結部の配置の自由度を高めることができるために、デザイン自由度を高めることができる。
【発明を実施するための最良の形態】
【００１４】
図１に電子エントリーシステムに対する操作用携帯器として構成された本発明の実施の形態を示す。携帯器は、電子エントリーシステムにおける錠制御装置と交信するための電子認証用交信手段を内蔵するキーケース３と、キーケース３に格納されるメカニカルキー（ケース装着体４）とから構成される。
【００１５】
メカニカルキー４は、主として電子認証システムの不具合時等に緊急施解錠操作を行うために用意され、図２に示すように、キーブレード部１２の一端にキーヘッド部１１を固定して形成される。キーブレード部１２には、図外の解錠コード形成凹部が形成され、錠装置のシリンダ錠に挿入した際に当該解錠コード形成凹部がシリンダ錠に予め設定された解錠コードへの合致を条件にシリンダ錠を回転操作して錠装置の施解錠操作を行うことができる。
【００１６】
キーヘッド部１１は、後述する２個のケース構成体１、２（以下、一方を「第１ケース」、他方を「第２ケース」と呼ぶ。）との嵌合による強度を考慮して、亜鉛によりダイカスト成型され、キーブレード部１１に固定される。嵌合による強度が確保できれば、合成樹脂により形成することも可能であり、この場合は一端部にキーリング装着孔１１ａを備え、予め成型された後、キーブレード部１２に機械的に固定され、あるいはキーブレード部１２にアウトサート成型される。このキーヘッド部１１は、メカニカルキー４の操作用頭
部としての機能に加え、後述する第１、第２ケース１、２の連結部を構成するケース装着体４として機能し、キーブレード部１２の先端方と両側方に向けて開放されるケース呑み込み部１３を備える。ケース呑み込み部１３の内壁には、キーブレード部１２の長手方向（後述するように、メカニカルキー４はキーブレード部１２の長手方向に沿って移動させてキーケース３に収納されるので、以後、この方向を「キー収納方向」という。）に沿って両側方に張り出した突条７が設けられる。この突条７は、ケース呑み込み部１３のキーブレード部１２が固定される側の壁面にケース呑み込み部１３の全長に渡って連続状に形成される。
【００１７】
また、ケース呑み込み部１３の突条７形成壁に対向する壁面には被係止部１４が設けられる。被係止部１４は、突条７側に向けて突設され、ケース呑み込み部１３開放端側の壁面に、ケース呑み込み部１３開放端に行くに従って漸次突出寸法が小寸となる傾斜面１４ａが形成される。
【００１８】
図１、３に示すように、キーケース３は、上記電子認証用交信手段を含む電子回路が実装されたプリント基板１５が固定される第１ケース１と、制御ボタン１６が配置される第２ケース２とを積層状に連結して形成される。この実施の形態において、制御ボタン１６は、図１（ａ）に示すように、第２ケース２の上端に配置される、例えば施解錠操作に付随して交信を行うボタン、中央に配置される解錠ボタン、下端に配置される施錠ボタンからなる。第１、第２ケース１、２には、後述する連結部による連結が解除された場合であっても連結状態を維持するための補助連結部８が形成される。補助連結部８は、図３（ｂ）、（ｃ）に示すように、一方に形成される弾性係止脚８ａを他方の係止凹部８ｂに弾発的に係止して係止関係を確立するスナップフィット構造により形成される。
【００１９】
後述するように、メカニカルキー４を抜去した状態で露出する連結解除用スリット１７へのこじり操作により容易に補助連結部８の連結が解除されるように、第１、第２ケース１、２の側縁に配置される弾性係止脚８ａと係止凹部８ｂとの接触面は、図３（ｂ）に示すように、離隔方向への力により弾性係止脚８ａに係止解除方向の分力が発生しやすい斜面で形成される。これに対し、連結部により連結される反対端に位置する補助連結部８は、連結部における締め付け力により発生する捲り上がり方向の力により妄りに連結解除されないように、図３（ｃ）に示すように、弾性係止脚８ａと係止凹部８ｂとの接触面は分割方向線に対して直交する平面により形成される。
【００２０】
９はシール部材であり、上記第１、第２ケース１、２間に介装される。このシール部材９は制御ボタン１６と第２ケース２との間隙からの水分、塵埃のキーケース３内への侵入を完全に防止するために、開口部を有しない連続状のシート体により形成される。このシール部材９には、キーケース３内に配置される部品との干渉を防止するための適宜の凹凸が形成される。また、このシール部材９の周縁には、第１、第２ケース１、２により挟まれて積層界面を全周に渡ってシールするシール平面９ａが形成される。
【００２１】
図４に第１ケース１を示す。第１ケース１は所定深さのトレイ形状に形成される。この第１ケース１の中央部には、上記シール部材９のシール平面９ａを挟み付ける隔壁１ａにより部品収容スペース１ｂが区画され、部品収容スペース１ｂの外部に、上記メカニカルキー４のキーヘッド部１１が嵌合可能な幅でキー収納方向に延びるキー嵌合切欠１ｃが形成される。
【００２２】
また、第１ケース１には、メカニカルキー４のキーブレード部１２が挿入するブレード収容孔１８が形成される。ブレード収容孔１８は、一端が上記キー嵌合切欠１ｃに開放され、キー収納方向に長い断面矩形の有底孔として形成される。ブレード収容孔１８は、部品収容スペース１ｂの底壁内に形成されて部品収容スペース１ｂに対して隔離される。
【００２３】
１ｅは連結脚であり、キー嵌合切欠１ｃの両側壁部に立設される。各連結脚１ｅには、上記メカニカルキー４の突条７が挿通可能な挿通路（第１挿通路５）が形成される。第１挿通路５はキー収納方向に連続し、キー嵌合切欠１ｃの中央部に向けて開放される凹溝として形成される。
【００２４】
図５に第２ケース２を示す。第２ケース２は上記第１ケース１と同様にキー嵌合切欠２ｃを有して第１ケース１とほぼ同一の輪郭形状を有し、第１ケース１の隔壁１ａに対峙する隔壁２ａを備える。また、第２ケース２のキー嵌合切欠２ｃには、スリット形成段部２ｄと連結脚２ｅとが形成される。スリット形成段部２ｄは、図６（ｂ）に示すように、第２ケース２の底壁に対向して形成され、スリット形成段部２ｄと第２ケース２の底壁によりキー嵌合切欠１ｃ、２ｃの開放端側に開口する連結解除用スリット１７が形成される。スリット形成段部２ｄと第２ケース２の底壁との間隔（ｄ）、すなわち、連結解除用スリット１７の高さは、メカニカルキー４のキーブレード部１２を挿入させることができる程度に設定される。また、第２ケース２のスリット形成段部２ｄには、第１ケースの積層方向とは反対方向に円柱状のばね受け突部２ｆが突設される。
【００２５】
さらに、第２ケース２の連結脚２ｅは、図６（ａ）、（ｃ）に示すように、第１ケース１と第２ケース２とを積層した時の干渉を防止するために、第１ケース１側の連結脚１ｅに対してキー収納方向にずれた位置に設けられる。これら第２ケース２の連結脚２ｅには上記第１挿通路５と同様に凹溝状の挿通路（第２挿通路６）が形成される。第２挿通路６は、補助連結部８により第１、第２ケース１、２を積層させた状態で第１挿通路５の延長線上に位置するように配置され、上記メカニカルキー４の突条７は、キーヘッド部１１をキー嵌合切欠２ｃに嵌合させる動作に伴って第２挿通路を経由して第１挿通路５に進入する。
【００２６】
突条７の進入に際し、第１、第２挿通路５、６は、各々対向壁面の一方が突条７に摺接する干渉部５ａ、６ａとして機能する。図６（ａ）に示すように、第１挿通路５は第２ケース２側、第２挿通路６は、第１ケース１側の壁面が干渉部５ａ、６ａとなるように設定される。
【００２７】
したがってこの実施の形態において、図６（ｃ）に示すように、補助連結部８により連結されたキーケース３にメカニカルキー４のキーヘッド部１１をキー嵌合切欠１ｃ、２ｃに嵌合させると、図６（ａ）に示すように、キーブレード部１２は第１ケース１のブレード収容孔１８に挿入されて収容される。なお、理解を容易にするように、補助連結部８により積層方向に連結された第１、第２ケース１、２は、図６（ａ）において分割状態で図示されている。
【００２８】
キーヘッド部１１のキー嵌合切欠１ｃ、２ｃへの嵌合操作に伴って、キーヘッド部１１の突条７は第１、第２挿通路５、６を通過し、通過途上において各々の干渉部５ａ、６ａに摺接する。干渉部５ａ、６ａの突条７への摺接により、第１挿通路５の干渉部５ａには第２ケース２側への押圧力が、第２挿通路６の干渉部６ａには第１ケース１側への押圧力が発生するために、第１、第２ケース１、２は互いに接近する方向に移動する。
【００２９】
干渉部５ａ、６ａの突条７による排斥量、すなわち第１、第２ケース１、２の移動量は、上述したシール部材９の撓み量をもとに決定され、メカニカルキー４を収納した状態において、シール部材９のシール平面９ａは第１、第２ケース１、２の隔壁に挟み付けられて撓み、十分なシール性能が確保するためのシール面圧が確保される。
【００３０】
また、この状態からメカニカルキー４を抜去しても、シール部材９のシール面圧は低下するものの、第１、第２ケース１、２は補助連結部８により連結状態が維持される。例えば電池交換等のために第１、第２ケース１、２を分割する際には、図６（ｂ）に示すように、連結解除用スリット１７に、抜去したメカニカルキー４のキーブレード部１２を挿入してこじると、簡単に第１、第２ケース１、２を分割することができる。
【００３１】
さらに、第２ケース２には上記メカニカルキー４の収納状態の保持、保持解除を行うための操作ボタン１９が装着される。図７に示すように、操作ボタン１９は棒状の操作部１９ａと、操作部１９ａの両端下方から両側に延設される取付部１９ｂとを有し、図７（ｆ）、図８（ａ）に示すように、取付部１９ｂを第２ケース２に凹設されたボタン装着凹部２０に嵌合し、操作部１９ａを第２ケース２の表面に露出させて第２ケース２に装着される。第２ケース２への装着状態において、操作ボタン１９の操作部１９ａは、図７（ｅ）に示すように、第２ケース２のキー嵌合切欠２ｃの奥行き方向終端壁に沿って配置される。
【００３２】
また、操作部１９ａには、第２ケース２に装着した状態で第２ケース２のばね受け突部２ｆに対向する円柱状のばね受け突部１９ｆを備えたばね受け片１９ｃが突設される。図８（ｂ）に示すように、第２ケース２と操作ボタン１９のばね受け片１９ｃとの間には、第２ケース２のばね受け突部２ｆと操作ボタン１９のばね受け突部１９ｆに中心部を支えられるようにして圧縮コイルばね２１が装着され、操作ボタン１９を後述する上部ストローク終端位置側に付勢する。
【００３３】
上記操作ボタン１９の移動ストロークを図８（ａ）により説明する。操作ボタン１９は、第１、第２ケース１、２の収納操作方向に沿って移動し、図８（ａ）に示される２個の操作ボタン１９は、ストローク方向の第２ケース２に対する相対位置のみを示す。図８（ａ）において上方に示される操作ボタン１９は、上部ストローク終端位置を示し、当該終端位置が、取付部１９ｂの上面がボタン装着凹部２０の天井壁に当接して決定されることを示す。これに対し、図８（ａ）において下方に示される操作ボタン１９は、下部ストローク終端位置を示し、ばね受け突部１９ｆが第２ケース２側のばね受け突部２ｆに当接して下部ストローク終端位置が決定されることを示す。
【００３４】
また、操作ボタン１９には係止部１０が形成される。係止部１０は、上記メカニカルキー４のキーヘッド部１１に形成される被係止部１４に対応して２個形成され、各々取付部１９ｂ基端に固定される。この係止部１０は、図７（ｃ）に示すように、第２ケース２に装着した状態で収納されるメカニカルキー４の被係止部１４に形成される傾斜面１４ａとほぼ平行な傾斜面１０ａを先端面に有して断面直角三角形状に形成される。
【００３５】
したがってこの実施の形態において、メカニカルキー４を収納すると、まず、キーヘッド部１１の被係止部１４の斜面１４ａが操作ボタン１９の斜面に当接し、さらにメカニカルキー４を押し込むと、操作ボタン１９は圧縮コイルばね２１の反力に抗して一旦下部ストローク終端位置側に移動した後、図８（ｃ）に示すように、係止部１０がキーヘッド部１１の被係止部１４に係止し、以後、メカニカルキー４の抜去を規制する。
【００３６】
この状態から図８（ｄ）に示すように、操作ボタン１９の操作部１９ａを押下すると、係止部１０と被係止部１４との係止が解除され、この状態でメカニカルキー４を抜去することができる。図１（ａ）に示すように、メカニカルキー４を収納した状態で、操作ボタン１９の操作部１９ａは、キーケース３とメカニカルキー４のキーヘッド部１１との境界に位置しているために、抜去操作は、例えば、キーケース３側を握った状態で親指で操作ボタン１９を押し下げながらキーヘッド部１１を押し出す操作により、あるいは片方の手でキーケース３を握った状態で、他方の手の指で操作ボタン１９とキーヘッド部１１を挟み付け、そのまま引き抜くことにより簡単に行うことができる。この際、操作ボタン１９の押し下げとともに操作ボタン１９に隣接する制御ボタン１６を押し下げれば、操作ボタン１９の操作がしやすくなる。
【図面の簡単な説明】
【００３７】
【図１】本発明を示す図で、（ａ）は平面図、（ｂ）はメカニカルキー収納途上の（ａ）の１Ｂ-１Ｂ線断面図である。
【図２】メカニカルキーを示す図で、（ａ）はキーヘッド部の斜視図、（ｂ）は（ａ）の２Ｂ方向矢視図、（ｃ）は（ｂ）の２Ｃ方向矢視図、（ｄ）は（ｂ）の２Ｄ-２Ｄ線断面図である。
【図３】キーケースを示す図で、（ａ）は図１（ａ）の３Ａ-３Ａ線断面図、（ｂ）は図３（ａ）の３Ｂ部拡大図、（ｃ）は図１（ｂ）の３Ｃ部拡大図、（ｄ）はシール部材の斜視図である。
【図４】第１ケースを示す図で、（ａ）は図３（ａ）の４Ａ方向から見た図、（ｂ）は図４（ａ）の４Ｂ線断面図、（ｃ）は図４（ａ）の４Ｃ方向矢視図、（ｄ）は図４（ｂ）の４Ｄ方向から見た斜視図、（ｅ）は図４（ｂ）の４Ｅ方向から見た斜視図である。
【図５】第２ケースを示す図で、（ａ）は図３（ａ）の５Ａ方向から見た図、（ｂ）は図５（ａ）の５Ｂ線断面図、（ｃ）は図５（ａ）の５Ｃ方向矢視図、（ｄ）は図５（ｂ）の５Ｄ方向から見た斜視図、（ｅ）は図５（ｂ）の５Ｅ方向から見た斜視図である。
【図６】キーケースの連結状態を示す図で、（ａ）は連結部の作用を示す説明図、（ｂ）はメカニカルキー装着前の（ａ）の６Ｂ方向矢視図、（ｃ）は（ａ）の６Ｃ方向矢視図である。
【図７】操作ボタンを示す図で、（ａ）は斜視図、（ｂ）は（ａ）の７Ｂ方向矢視図、（ｃ）は（ｂ）の７Ｃ-７Ｃ線断面図、（ｄ）は（ａ）の７Ｄ方向矢視図、（ｅ）は第２ケースへの装着状態を示す（ａ）の７Ｂ方向から見た図、（ｆ）は第２ケースへの装着状態を示す（ａ）の７Ｄ方向から見た図である。
【図８】操作ボタンの動作を示す図で、（ａ）はストローク終端位置を説明する図７（ｆ）の８Ａ-８Ａ線断面図、（ｂ）は図７（ｆ）の８Ｂ-８Ｂ線断面図、（ｃ）は操作ボタンによりメカニカルキーを係止した状態を示す図１（ｂ）に対応する図、（ｄ）は操作ボタンの係止を解除した状態を示す図８（ｃ）に対応する図である。
【符号の説明】
【００３８】
１、２      ケース構成体
３          キーケース
４          ケース装着体
５、６      挿通路
７          突条
８          補助連結部
９          シール部材
１０        係止部
【図１】
0004620610.tif 000002
【図２】
0004620610.tif 000003
【図３】
0004620610.tif 000004
【図４】
0004620610.tif 000005
【図５】
0004620610.tif 000006
【図６】
0004620610.tif 000007
【図７】
0004620610.tif 000008
【図８】
0004620610.tif 000009